【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
プロセッサベースのデバイスであって：
プロセッサと；
前記プロセッサによるオペレーティングシステムの実行に応答して、前記プロセッサに、
マウス及び／又はキーボード入力で操作可能なコントロールを表示させ、
前記表示されたコントロールに近接するインク入力を受け取らせ、
前記受け取ったインク入力をインクコマンドとして解釈させ、
前記解釈されたインクコマンドに従って前記表示されたコントロールを操作させる、
コンテンツを有するメモリと；
を備える、デバイス。
【請求項２】
前記表示されたコントロールは、インデックス値を設定するための１次元値設定コントロールであり、
前記受け取ったインク入力は、手書きの数字を含み、
前記解釈されたインクコマンドは、前記手書きの数字に基づくインデックス値を指定する、
請求項１に記載のデバイス。
【請求項３】
前記表示されたコントロールは、メディア再生インデックス時間、ページ数又はオーディオボリュームレベルを設定するための一次元値設定コントロールである、
請求項２に記載のデバイス。
【請求項４】
前記表示されたコントロールは、量を設定するために構成されたスライダコントロールであり、該コントロールの第１端部から該コントロールの第２端部まで伸びる本体を有し、
前記スライダコントロールは、ハンドル及びトラックを有し、該トラックは、第１端部と第２端部を有し、前記ハンドルは、前記量の異なる値に対応する前記トラック上の異なる点に再配置可能であり、
前記受け取ったインク入力は、前記コントロールの本体を、前記本体の前記第１端部から前記本体の前記第２端部までの距離の特定のパーセンテージで横切るインクを含み、
前記解釈されたインクコマンドは、前記パーセンテージに基づく、前記量についての値を指定する、
請求項１に記載のデバイス。
【請求項５】
前記表示されたコントロールは、スライダ、スクロールバー又はルーラである、
請求項４に記載のデバイス。
【請求項６】
前記表示されたコントロールは、視覚的記号を有するボタンであり、
前記受け取ったインク入力は、前記ボタンが有する前記視覚的記号の近似物を含み、
前記解釈されたインクコマンドに従って前記表示されたコントロールを操作することは、前記ボタンをアクティブにすることを含む、
請求項１に記載のデバイス。
【請求項７】
前記表示されたコントロールは、１つ以上の電子ドキュメントリーダのページであり、
前記受け取ったインク入力は、選択された方向を指す選択された数の手書きのキャレットを含み、
前記解釈されたインクコマンドに従って前記表示されたコントロールを操作することは、前記選択された方向で前記選択された数のページフリップを実行することを含む、
請求項１に記載のデバイス。
【請求項８】
前記表示されたコントロールは、日付を設定するための日付ピッカーコントロールであり、該コントロールは、週に各々対応する行に配列された複数の日付を提示し、
前記受け取ったインク入力は、前記コントロールによって提示される選択された日付を包含する囲み形状であり、
前記解釈されたインクコマンドに従って前記表示されたコントロールを操作することは、前記選択された日付を設定することを含む、
請求項１に記載のデバイス。
【請求項９】
前記表示されたコントロールは、日付を設定するための日付ピッカーコントロールであり、
前記コントロールは、
（１）週に各々対応する行に配置された複数の日付及び／又は、
（２）日付の異なる構成要素を独立に設定するための２つ以上のコントロール、
のいずれかを提示し、
前記受け取ったインク入力は、日付を指示するテキストであり、
前記解釈されたインクコマンドに従って前記表示されたコントロールを操作することは、前記指示された日付を設定することを含む、
請求項１に記載のデバイス。
【請求項１０】
前記表示されたコントロールは、複数の列挙されたテキスト文字列のうちの１つを設定するための列挙テキスト文字列ピッカーコントロールであり、列挙されたテキスト文字列の各々が文字シーケンスで構成され、
前記受け取ったインク入力は、前記複数の列挙されたテキスト文字列のうちのただ１つの列挙されたテキスト文字列の文字シーケンスの先頭部分に一致している手書きの文字シーケンスであり、
前記解釈されたインクコマンドに従って前記表示されたコントロールを操作することは、そのシーケンスの先頭部分が前記手書きの文字シーケンスに一致している前記列挙されたテキスト文字列を設定することを含む、
請求項１に記載のデバイス。
【請求項１１】
コンピュータシステムに、
マウス入力で操作可能なコントロールを表示させ、
前記表示されたコントロールに向けられたインクコマンドを受け取らせ、
前記受け取ったインクコマンドに従って前記表示されたコントロールを操作させる、
ように構成される、コンピュータプログラム。
【請求項１２】
前記表示されたコントロールは、１つ以上の電子ドキュメントリーダのページであり、
前記受け取ったインクコマンドは、選択された方向を指す選択された数の手書きのキャレットを含み、
前記受け取ったインクコマンドに従って前記表示されたコントロールを操作することは、前記選択された方向で前記選択された数のページフリップを実行することを含む、
請求項１１に記載のコンピュータプログラム。
【請求項１３】
前記表示されたコントロールは、日付を設定するための日付ピッカーコントロールであり、
前記コントロールは、週に各々対応する行に配置された複数の日付を提示し、
前記受け取ったインクコマンドは、
（１）前記コントロールによって提示される選択された日付を含む囲み形状又は、
（２）日付を指示するテキスト、
のいずれかであり、
前記受け取ったインクコマンドに従って前記表示されたコントロールを操作することは、前記選択された日付又は前記指示された日付を設定することを含む、
請求項１１に記載のコンピュータプログラム。
【請求項１４】
前記表示されたコントロールは、コンテナ内のアイテムを選択するためのコンテナコントロールであり、該コンテナコントロールは、前記コンテナ内のアイテムの少なくとも一部の各々の視覚的表現を含み、前記コンテナ内の前記アイテムの各々は、当該アイテムに関連付けられるテキスト文字列を有し、
前記受け取ったインクコマンドは、文字シーケンスを含む手書きのテキスト文字列であり、
前記受け取ったインクコマンドに従って前記表示されたコントロールを操作することは、前記コンテナコントロールが視覚的表現を含んでいるアイテムを、関連付けられるテキスト文字列が前記手書きのテキスト文字列と一致するアイテムのみにサブセット化することを含む、
請求項１１に記載のコンピュータプログラム。
【請求項１５】
前記表示されたコントロールは、ソースコンテナ内のアイテムの少なくとも一部の各々の視覚的表現を含むコンテナコントロールであり、アイテムの視覚的表現のうちの少なくとも１つは、表現されるアイテムが選択されたことを示し、
前記受け取ったインクコマンドは、前記表現されるアイテムが選択されたことを示す前記アイテムの視覚的表現のうちの１つの近くで始まり、アイテムに対して実行可能な操作の視覚的指示の近くで終わる矢印であり、
前記受け取ったインクコマンドに従って前記表示されたコントロールを操作することは、前記選択されたアイテムを指示された操作の対象にすることを含む、
請求項１１に記載のコンピュータプログラム。
【請求項１６】
前記表示されたコントロールは、コンテナ内のアイテムを選択するためのコンテナコントロールであり、該コンテナコントロールは、前記コンテナ内のアイテムの少なくとも一部の各々の視覚的表現を含み、
前記受け取ったインクコマンドは、１つ以上の区別されたアイテムの各々の表現の近くに描かれたチェックマーク、星形又はアスタリスクを含み、
前記受け取ったインクコマンドに従って前記表示されたコントロールを操作することは、前記区別されたアイテムを選択することを含む、
請求項１１に記載のコンピュータプログラム。
【請求項１７】
コンピューティングシステムにおける方法であって：
ディスプレイ領域に対する特定領域でインク入力を受け取るステップと；
前記受け取ったインク入力の形状および位置に基づいて、前記受け取ったインク入力をインクコマンドとして解釈するステップと；
前記解釈されたインクコマンドを実行するステップと；
を含む、方法。